(57)【要約】【課題】現像ギャップをできるだけ小さくして高画質を得るようにしつつ、現像ローラの軸長を短くしかつスペーサの汚れを抑制して、現像ギャップを高精度に維持する。【解決手段】現像ローラ４ａのトナー非搬送面４ｅには、シート状のスペーサ８が固定されている。これらのスペーサ８が感光体２に圧接されることで、現像ローラ４ａが感光体２に対して現像ギャップｇを置いて対向配置される。トナー非搬送面４ｅおよびスペーサ８の外周面には、周面シール９がスペーサ８にオーバラップされて設けられている。したがって、現像ローラ４ａの軸長を短くでき、現像ローラ４ａの撓みを抑制することができる。これにより、現像ギャップを高精度に維持することができる。【選択図】    図２
2006106260.tif 000002
【特許請求の範囲】
【請求項１】
像担持体と、トナー搬送面が前記像担持体に所定の現像ギャップを置いて対向するように設けられて前記像担持体にトナーを搬送する現像ローラと、この現像ローラの両端部に設けられて前記像担持体に当接することで前記現像ギャップを設定するギャップ調整部材とを少なくとも備え、非接触ジャンピング現像を行う画像形成装置において、
前記ギャップ調整部材がシート状のスペーサで構成されており、
前記現像ローラの両端部に、それぞれこれらの両端部からトナーがこぼれるのを防止する周面シールが前記スペーサおよび前記現像ローラの前記スペーサより内側の部分に、前記スペーサ上にオーバラップされて設けられていることを特徴とする画像形成装置。
【請求項２】
前記周面シールは、前記スペーサのクリーニングを行うクリーニング部材として兼用されていることを特徴とする請求項１記載の画像形成装置。
【請求項３】
前記周面シールは、起毛材で形成されていることを特徴とする請求項２記載の画像形成装置。
【請求項４】
前記像担持体をクリーニングするクリーニングブレードを備え、
前記クリーニングブレードの幅が、前記現像ローラの両端部における前記スペーサの外側縁間の距離より大きく設定されていることを特徴とする請求項１ないし３のいずれか１記載の画像形成装置。
【請求項５】
前記像担持体の前記スペーサが当接するスペーサ当接部位に、このスペーサ当接部位をクリーニングするクリーニング部材が設けられていることを特徴とする請求項１ないし３のいずれか１記載の画像形成装置。
【請求項６】
前記周面シール、前記トナー、前記スペーサの帯電列が、
＋ ＞ 周面シール ＞ トナー ＞ スペーサ ＞ −
に設定されていることを特徴とする請求項４または５記載の画像形成装置。
【請求項７】
前記像担持体を帯電する帯電部材を備えているとともに、前記像担持体をクリーニングするクリーニングブレードを備え、
前記帯電部材の帯電幅が、前記スペーサの外側縁間の距離より大きく設定されており、
前記周面シール、前記トナー、前記スペーサの帯電列が、
＋ ＞ トナー ＞ 周面シール、スペーサ ＞ −
に設定されていることを特徴とする請求項１ないし３のいずれか１記載の画像形成装置。
【請求項８】
前記周面シールが前記スペーサの内側縁からオーバラップされており、
前記像担持体を帯電する帯電部材を備えているとともに、前記像担持体をクリーニングするクリーニングブレードを備え、
前記帯電部材の帯電幅が、前記スペーサの内側縁間の距離より小さく、かつ前記周面シールの内側縁間の距離より大きく設定されており、
前記周面シール、前記トナー、前記スペーサの帯電列が、
＋ ＞ 周面シール、スペーサ ＞ トナー ＞ −
に設定されていることを特徴とする請求項１ないし３のいずれか１記載の画像形成装置。
【発明の詳細な説明】
【技術分野】
【０００１】
本発明は、電子写真、静電複写機、プリンタ、ファクシミリ等の電子写真方式の画像形成装置の技術分野に関し、特に、像担持体と現像ローラとの間に所定の現像ギャップを有する非接触ジャンピング現像方式により非磁性一成分トナーを用いて像担持体の静電潜像を現像することで画像を形成する画像形成装置の技術分野に関する。
【背景技術】
【０００２】
従来、画像形成装置として、非接触ジャンピング現像方式を用いた現像装置を備えた画像形成装置が多々知られている。この非接触ジャンピング現像方式は、像担持体である感光体と現像ローラとの間に所定の現像ギャップを設けるとともに、現像ローラ上のトナーを感光体にジャンピングさせて感光体上の静電潜像を現像する方式である。この非接触ジャンピング現像方式では、感光体と現像ローラとの間の現像ギャップを高精度に維持することが良好な現像を行う上で求められる。
【０００３】
そこで、従来、現像ローラより半径の大きなコロからなるスペーサを現像ギャップ調整部材として現像ローラの両端部から突出する回転軸に設け、これらのコロを感光体の外周面に当接することで感光体と現像ローラとの間の現像ギャップを維持している（例えば、特許文献１参照）。
【０００４】
しかし、現像ギャップ調整部材としてコロを用いた場合、コロと現像ローラとの同軸度やコロの真円度等の誤差が重なることで、現像ローラと感光体との間に適正な現像ギャップを確保することが難しい。また、非接触ジャンピング現像方式において高画質を得るためには現像ギャップを狭くする必要があるが、コロはある程度の厚みを有しているため、コロの厚みをきわめて薄く形成して現像ギャップを狭くすることは難しい。
【０００５】
そこで、現像ギャップ調整部材としてシート状部材を用い、このシート状部材を現像ローラの両端部外周面と感光体の両端部外周面との間に介在させることで、現像ローラと感光体との間に適正な現像ギャップを容易に確保できるようにすることが提案されている（例えば、特許文献２参照）。この特許文献２に開示の画像形成装置によれば、前述の現像ギャップ調整部材としてコロを用いた場合の問題を解決することができる。
【０００６】
一方、従来の画像形成装置における現像装置においては、現像ローラの両端部からトナーがこぼれるのを防止するために、現像ローラの両端部のトナー非搬送面をブラストしないで滑らかにするとともに、このトナー非搬送面に周面シールを設けている。（例えば、特許文献３参照）。
【特許文献１】特開２００３−２７０９２８号公報。
【特許文献２】特開平５−２７５７１号公報。
【特許文献３】特開２００３−３２３４０７号公報。
【発明の開示】
【発明が解決しようとする課題】
【０００７】
ところで、非接触現像装置において、前述の特許文献２に開示されているように現像ローラの両端部にシート状のスペーサを設けて、現像ギャップを狭くして高画質を得るとともに現像ギャップの精度を向上することができるようにしつつ、特許文献３に開示されているように現像ローラの両端部に設けた周面シールによってこれらの両端部からトナーがこぼれるのを防止しようとすることが考えられる。
【０００８】
しかしながら、そのために、現像ローラの両端部に周面シールを設けるとともに、これらの周面シールの外側にスペーサを設けると、現像ローラの軸方向長さが長くなってしまう。現像ローラの軸長が長くなると、現像ローラに撓みが生じてしまい、せっかくシート状のスペーサで現像ギャップの精度を向上させても、現像ギャップが変動して現像ギャップの精度が低下してしまう。そこで、スペーサを周面シールの内側に設けると、トナーこぼれによりスペーサが汚れてしまい、同様に現像ギャップが変動して現像ギャップの精度が低下してしまう。
【０００９】
本発明は、このような事情に鑑みてなされたものであって、その目的は、現像ギャップをできるだけ小さくして高画質を得ることができるようにしつつ、現像ローラの軸長を短くしかつスペーサの汚れを抑制して、現像ギャップを高精度に維持できる画像形成装置を提供することである。
【課題を解決するための手段】
【００１０】
前述の課題を解決するために、請求項１の発明は、像担持体と、トナー搬送面が前記像担持体に所定の現像ギャップを置いて対向するように設けられて前記像担持体にトナーを搬送する現像ローラと、この現像ローラの両端部に設けられて前記像担持体に当接することで前記現像ギャップを設定するギャップ調整部材とを少なくとも備え、非接触ジャンピング現像を行う画像形成装置において、前記ギャップ調整部材がシート状のスペーサで構成されており、前記現像ローラの両端部に、それぞれこれらの両端部からトナーがこぼれるのを防止する周面シールが前記スペーサおよび前記現像ローラの前記スペーサより内側の部分に、前記スペーサ上にオーバラップされて設けられていることを特徴とする。
【００１１】
また、請求項２の発明は、前記周面シールが、前記スペーサのクリーニングを行うクリーニング部材として兼用されていることを特徴とする。
更に、請求項３の発明は、前記周面シールが、起毛材で形成されていることを特徴とする。
【００１２】
更に、請求項４の発明は、前記像担持体をクリーニングするクリーニングブレードを備え、前記クリーニングブレードの幅が、前記現像ローラの両端部における前記スペーサの外側縁間の距離より大きく設定されていることを特徴とする。
更に、請求項５の発明は、前記像担持体の前記スペーサが当接するスペーサ当接部位に、このスペーサ当接部位をクリーニングするクリーニング部材が設けられていることを特徴とする。
【００１３】
更に、請求項６の発明は、前記周面シール、前記トナー、前記スペーサの帯電列が、
＋ ＞ 周面シール ＞ トナー ＞ スペーサ ＞ −
に設定されていることを特徴とする。
【００１４】
更に、請求項７の発明は、前記像担持体を帯電する帯電部材を備えているとともに、前記像担持体をクリーニングするクリーニングブレードを備え、前記帯電部材の帯電幅が、前記スペーサの外側縁間の距離より大きく設定されており、前記周面シール、前記トナー、前記スペーサの帯電列が、
＋ ＞ トナー ＞ 周面シール、スペーサ ＞ −
に設定されていることを特徴とする。
【００１５】
更に、請求項８の発明は、前記周面シールが前記スペーサの内側縁からオーバラップされており、前記像担持体を帯電する帯電部材を備えているとともに、前記像担持体をクリーニングするクリーニングブレードを備え、前記帯電部材の帯電幅が、前記スペーサの内側縁間の距離より小さく、かつ前記周面シールの内側縁間の距離より大きく設定されており、前記周面シール、前記トナー、前記スペーサの帯電列が、
＋ ＞ 周面シール、スペーサ ＞ トナー ＞ −
に設定されていることを特徴とする。
【発明の効果】
【００１６】
このように構成された本発明の画像形成装置によれば、現像ローラの両端部に固定されたシート状のスペーサの外周面に、周面シールをオーバーラップさせているので、現像ローラの両端部の外周面に周面シールを設けるとともにこの周面シールより外側の現像ローラの両端部にスペーサを設けた場合に比べて、現像ローラの軸方向長さを短くすることができる。したがって、現像ローラの撓み量を小さく抑制することができる。
【００１７】
その結果、現像ローラの撓みによる現像ギャップの変動が抑制されて、現像ギャップを高精度に維持することができる。また、高画質化を目的としてシート状のスペーサを用いて現像ギャップを小さく設定した場合に、現像ギャップの変動による画質への影響を効果的に抑制することができる。
【００１８】
特に、請求項２の発明によれば、周面シールがスペーサのクリーニング部材を兼ねるようにしているので、スペーサにトナー等の異物が付着して汚れが生じても、周面シールにより異物を除去して汚れを拭き取ることができる。したがって、スペーサの外周面が滑らかなきれいな面となるので、現像ギャップを常に高精度に保持でき、均一な所定の現像ギャップを常時維持することができる。しかも、スペーサの専用のクリーニング部材を設ける必要がないので、部品点数を削減できる。
また、請求項３の発明によれば、周面シールに起毛材を用いることで、スペーサに対するクリーニング効果をより向上させることができる。
【００１９】
更に、請求項４の発明によれば、像担持体のクリーニングブレードの幅を現像ローラ両端部のスペーサの外側縁間の距離より大きく設定して、像担持体のスペーサ当接部位にクリーニングブレードを位置させているので、像担持体のスペーサ当接部位を常時クリーニングすることができる。また、請求項５の発明によれば、像担持体のスペーサ当接部位にクリーニング部材を配置しているので、像担持体のスペーサ当接部位を常時クリーニングすることができる。したがって、請求項４および５の発明では、像担持体とスペーサとが当接するとき、像担持体とスペーサとの間が、常にトナー等の異物汚れのないきれいな状態に保持することができる。これによっても、現像ギャップを常に高精度に保持でき、均一な所定の現像ギャップを常時維持することができる。請求項４の発明では、像担持体のクリーニングブレードを用いているので、部品点数を削減できる。
【００２０】
更に、請求項６の発明によれば、請求項４または５の発明において、周面シール、トナー、およびスペーサの帯電列を、
＋ ＞ 周面シール ＞ トナー ＞ スペーサ ＞ −
に設定しているので、空気中を飛散してスペーサに付着したトナーの帯電量が大きくならないようにすることができる。これにより、スペーサからトナーを容易にクリーニングすることができるようになる。
【００２１】
更に、請求項７の発明によれば、帯電部材の帯電幅を、スペーサの外側縁間の距離より大きく設定し、周面シール、トナー、スペーサの帯電列を、
＋ ＞ トナー ＞ 周面シール、スペーサ ＞ −
に設定しているので、スペーサに付着したトナーが、例えばトナーの粒径が小さすぎて周面シールをすり抜けるなどしてスペーサと周面シールとの間に入ったトナーをプラス帯電させることができる。そして、帯電部材により、像担持体のスペーサ当接部位をマイナス帯電させることで、スペーサ上のトナーを像担持体に現像させることができる。したがって、周面シールでクリーニングできないようなスペーサ上のトナーも除去することができ、スペーサを確実にクリーニングすることができる。また、像担持体に現像されたトナーはクリーニングブレードによって除去し、回収することができる。
【００２２】
更に、請求項８の発明によれば、帯電部材の帯電幅を、スペーサの内側縁間の距離より小さく、かつ周面シールの内側縁間の距離より大きく設定し、周面シール、トナー、スペーサの帯電列を、
＋ ＞ 周面シール、スペーサ ＞ トナー ＞ −
に設定しているので、スペーサに付着したトナーが、例えばトナーの粒径が小さすぎて周面シールをすり抜けるなどしてスペーサと周面シールとの間に入ったトナーをマイナス帯電させることができる。そして、像担持体のスペーサ当接部位を帯電させないことで、トナーの電位を現像ローラの電位よりプラス側にして、スペーサ上のトナーを像担持体に現像させることができる。したがって、周面シールでクリーニングできないようなスペーサ上のトナーも除去することができ、スペーサを確実にクリーニングすることができる。また、像担持体に現像されたトナーはクリーニングブレードによって除去し、回収することができる。
【発明を実施するための最良の形態】
【００２３】
以下、図面を用いて本発明を実施するための最良の形態について説明する。
図１は、本発明にかかる画像形成装置の実施の形態の一例を模式的に示す図である。なお、本特許請求の範囲および本明細書において、内側は現像ローラの中央側を指し、外側は現像ローラの両端側を指す。
【００２４】
図１に示すように、この例の画像形成装置１は、静電潜像およびトナー像が形成される像担持体である感光体２、この感光体２を帯電する帯電装置３、感光体２上に形成された静電潜像を非磁性一成分トナー（以下、単にトナーともいう）によって現像する現像装置４、現像装置４によって現像されたトナー像を中間転写体５に一次転写する一次転写装置６、および一次転写後に感光体２上に残留するトナーを除去し回収するクリーニング装置７を備えている。
【００２５】
そして、帯電装置３の帯電ローラ３ａによって像形成領域が一様帯電された感光体２上に、図示しない露光装置によって静電潜像が形成され、この感光体２上の静電潜像が現像装置４の現像ローラ４ａによって搬送されてくる非磁性一成分トナーで現像されてトナー像が形成される。この感光体２上のトナー像は一次転写装置６の転写ローラ６ａによって中間転写体５に一次転写されて転写像が形成される。そして、図示しないが、中間転写体５上の転写像が二次転写装置によって紙等の記録媒体に転写され、記録媒体上の転写像が定着装置によって定着されて画像が形成される。一次転写後に感光体２上に残留したトナーはクリーニング装置７のクリーニングブレード７ａによって除去され回収される。
【００２６】
現像装置４は、感光体２にトナーを搬送する現像ローラ４ａ、現像ローラ４ａに圧接されてトナーを供給する供給ローラ４ｂ、および現像ケース４ｃを備えており、現像ケース４ｃ内に、トナー、現像ローラ４ａ、および供給ローラ４ｂが収容されている。そして、現像ケース４ｃ内に収容された非磁性一成分トナーが、図示しないトナー攪拌搬送部材によって撹拌されながら供給ローラ４ｂの方へ搬送され、更に供給ローラ４ｂによって現像ローラ４ａに供給される。現像ローラ４ａ上のトナーは、図示しない規制ブレードによって規制されて薄層化され、この薄層のトナーが現像ローラ４ａによって感光体２の方へ搬送される。
【００２７】
図２（ａ）に示すように、現像ローラ４ａは、その中央部にトナー搬送面４ｄが形成されているとともに、両端部にはトナー非搬送面が形成されている（図２（ａ）,（ｂ）には、現像ローラ４ａの図において左端側のトナー非搬送面４ｅのみが示されているが、右端側のトナー非搬送面も左右対称ではあるが同様にして設けられている。）
【００２８】
トナー非搬送面４ｅには、シート状のスペーサ８が固定されている（同様に、現像ローラ４ａの右端側のトナー非搬送面にも同じスペーサが固定されている。以下、説明の便宜上、現像ローラ４ａの右端側についても左端側と同じ符号を付して説明する。）。シート状のスペーサ８としては、フッ素樹脂、ポリエステル、ポリオレフィン、ポリイミド、エポキシ、アセテート、シリコーン、アクリル、ゴム等のようなプラスチックやゴムからなる、テープやチューブを用いることができる。その場合、絶縁体であることが好ましい。特に、スペーサ８としては、粘着テープあるいはシームレスの熱収縮チューブを用いることが好ましい。図２（ｂ）に示すように、これらのスペーサ８が感光体２の像非担持面２ａに圧接されることで、現像ローラ４ａのトナー搬送面４ｄが、感光体２の像担持面２ｂに対して所定の現像ギャップｇを置いて対向配置されている。
【００２９】
そして、この現像ギャップｇは、スペーサ８の厚みを適宜選択することで所望の大きさに調節される。これにより、この現像装置４は非磁性一成分現像剤であるトナーを用いた非磁性一成分現像剤非接触ジャンピング現像を行うようになっている。
【００３０】
トナー非搬送面４ｅおよびスペーサ８の外周面には周面シール９が設けられており、この周面シール９はスペーサ８より内側のトナー非搬送面４ｅ、スペーサ８の外周面および側面を覆うようにして設けられている。つまり、周面シール９はスペーサ８の外周面にスペーサ８の内側からオーバラップされて設けられている。周面シール９としては、従来公知のシール部材を用いることができ、特に、起毛材を用いることが好ましい。この周面シール９により、トナー搬送面４ｄ上のトナーが現像ローラ４ａの左端の方へ漏出するのが防止される（現像ローラ４ａの右端側にも、同様の周面シール９が左右対称に設けられていて、トナーの現像ローラ４ａの右端の方への漏出が同様に防止されている）。このように、周面シール９はスペーサ８の外周面にオーバラップすることで、スペーサ８のクリーニング部材としての機能も兼ねている。
【００３１】
図２（ｂ）に示すように、クリーニングブレード７ａは感光体２の軸方向と平行な方向に延びていて、このクリーニングブレード７ａの幅（感光体２の軸方向と平行な方向の長さ）が左右のスペーサ８の外側縁８ａ間の長さより大きく設定されている。その場合、クリーニングブレード７ａの左右端は、それぞれ左右のスペーサ８の外側縁８ａよりも外側に位置しており、したがって、感光体２のスペーサ当接部位２ｃにクリーニングブレード７ａが位置している。
【００３２】
更に、周面シール９、トナー、およびスペーサ８の帯電列は、
＋ ＞ 周面シール９ ＞ トナー ＞ スペーサ８ ＞ −
に設定されている。この帯電列は、２つの部材を擦り合わせたとき、
＋ ＞ プラス（＋）に帯電した方の部材 ＞ マイナス（−）に帯電する方の部材 ＞ −
として表される。
【００３３】
このように構成されたこの例の画像形成装置１によれば、現像ローラ４ａの両端部に固定されたシート状のスペーサ８の外周面に、周面シール９をオーバーラップさせているので、現像ローラ４ａの両端部の外周面に周面シール９を設けるとともにこの周面シール９より外側の現像ローラ４ａの両端部にスペーサ８を設けた場合に比べて、現像ローラ４ａの軸方向長さを短くすることができる。したがって、現像ローラ４ａの撓み量を小さく抑制することができる。
【００３４】
その結果、現像ローラ４ａの撓みによる現像ギャップｇの変動が抑制されて、現像ギャップｇを高精度に維持することができる。また、高画質化を目的としてシート状のスペーサ８を用いて現像ギャップｇを小さく設定した場合に、現像ギャップｇの変動による画質への影響を効果的に抑制することができる。
特に、スペーサ８として、熱収縮チューブを用いることが好ましい。この熱収縮チューブはシームレスでありかつ弾性体であるため、前述の各効果を十分に発揮でき現像ギャップ調整部材として適しているとともに、現像ローラ５への固定が比較的簡単になる。
【００３５】
また、周面シール９がスペーサ８にオーバラップすることでスペーサ８のクリーニング部材を兼ねるようにしているので、スペーサ８にトナー等の異物が付着して汚れが生じても、周面シール９により異物を除去して汚れを拭き取ることができる。したがって、スペーサ８の外周面が滑らかなきれいな面となるので、現像ギャップｇを常に高精度に保持でき、均一な所定の現像ギャップを常時維持することができる。特に、周面シール９に起毛材を用いることで、スペーサ８に対するクリーニング効果をより向上させることができる。
【００３６】
更に、クリーニングブレード７ａの幅を左右のスペーサ８の外側縁８ａ間の距離より大きく設定して、感光体２のスペーサ当接部位２ｃにクリーニングブレード７ａを位置させているので、感光体２のスペーサ当接部位２ｃを常時クリーニングすることができる。したがって、感光体２とスペーサ８とが当接するとき、感光体２とスペーサ８との間が、常にトナー等の異物汚れのないきれいな状態に保持することができる。これによっても、現像ギャップｇを常に高精度に保持でき、均一な所定の現像ギャップを常時維持することができる。
【００３７】
更に、空気中を飛散してスペーサ８に付着したトナーの帯電量が大きくなると、鏡像力が大きくなってスペーサ８からトナーをクリーニングすることができなくなることがある。そこで、周面シール９、トナー、およびスペーサ８の帯電列を、
＋ ＞ 周面シール９ ＞ トナー ＞ スペーサ８ ＞ −
に設定しているので、トナーの帯電量が大きくならないようにすることができる。これにより、スペーサ８からトナーを容易にクリーニングすることができるようになる。
【００３８】
図３は、本発明の画像形成装置の実施の形態の他の例を示す、図２（ｂ）と同様の図である。
前述の図２（ｂ）で示す例では、感光体２のクリーニングブレード７ａを感光体２のスペーサ当接部位２ｃまで延設しているが、図３に示すように、この例の画像形成装置１では、感光体２のクリーニングブレード７ａに代えて、感光体２のスペーサ当接部位２ｃをクリーニングする専用のクリーニング部材１０が設けられている。感光体２のスペーサ当接部位２ｃは現像領域の外側になるので、クリーニングブレード７ａのように多くの残留トナーをクリーニングする必要はないので、このクリーニング部材１０としては、起毛材やスポンジ等の部材を用いることができる。
この例の他の構成および作用効果は、前述の図２（ａ）および（ｂ）に示す例と同じである。
【００３９】
図４は、本発明の画像形成装置の実施の形態の更に他の例を示す、図２（ｂ）と同様の図である。
前述の図２で示す例では、感光体２を帯電する帯電ローラ３ａの帯電幅を感光体２の像形成領域幅に設定しているが、図４に示すように、この例の画像形成装置１では、帯電ローラ３ａの帯電幅を左右のスペーサ８の外側縁８ａ間の距離より大きく設定して、感光体２のスペーサ当接部位２ｃに帯電ローラ３ａを位置させている。これにより、帯電ローラ３ａにより感光体２のスペーサ当接部位２ｃを帯電可能にしている。その場合、帯電ローラ３ａにより、スペーサ当接部位２ｃを含む感光体２をマイナス帯電するようにしている。
また、この例では、周面シール９、トナー、およびスペーサ８の帯電列は、
＋ ＞ トナー ＞ 周面シール９、スペーサ８ ＞ −
に設定されている。
この例の他の構成は、前述の図２に示す例と同じである。
【００４０】
ところで、スペーサ８に付着したトナーが、例えばトナーの粒径が小さすぎて周面シール９をすり抜けるなどで、周面シール９でスペーサ８上のトナーをクリーニングすることができない場合がある。しかし、この例では、周面シール９、トナー、およびスペーサ８の帯電列を前述のように設定しているので、スペーサ８と周面シール９との間に入ったトナーをプラス帯電させることができる。そして、帯電ローラ３ａにより、感光体２のスペーサ当接部位２ｃをマイナス帯電させることで、スペーサ８上のトナーを感光体２に現像させることができる。したがって、周面シール９でクリーニングできないようなスペーサ８上のトナーも除去することができ、スペーサ８を確実にクリーニングすることができる。また、感光体２に現像されたトナーはクリーニングブレード７ａによって除去され、回収される。
この例の他の作用効果は、前述の図２に示す例と同じである。
【００４１】
図５は、本発明の画像形成装置の実施の形態の更に他の例を示す、図２（ｂ）と同様の図である。
前述の図４で示す例では、感光体２のスペーサ当接部位２ｃに帯電ローラ３ａを位置させているが、図５に示すように、この例の画像形成装置１では、帯電ローラ３ａの帯電幅を、左右のスペーサ８の内側縁８ｂ間の距離より小さくかつ左右の周面シール９の内側縁９ａ間の距離より大きく設定して、感光体２のスペーサ当接部位２ｃに帯電ローラ３ａを位置させないようにしているので、感光体２のスペーサ当接部位２ｃを帯電させないようにしている。
【００４２】
また、この例では、周面シール９、トナー、およびスペーサ８の帯電列は、
＋ ＞ 周面シール９、スペーサ８ ＞ トナー ＞ −
に設定されている。
この例の他の構成は、前述の図４に示す例と同じである。
【００４３】
この例では、周面シール９、トナー、およびスペーサ８の帯電列を前述のように設定しているので、スペーサ８と周面シール９との間に入ったトナーをマイナス帯電させることができる。そして、感光体２のスペーサ当接部位２ｃを帯電させないことで、トナーの電位を現像ローラの電位よりプラス側にして、スペーサ８上のトナーを感光体２に現像させることができる。したがって、周面シール９でクリーニングできないようなスペーサ８上のトナーも除去することができ、スペーサ８を確実にクリーニングすることができる。また、感光体２に現像されたトナーはクリーニングブレード７ａによって除去され、回収される。
【００４４】
更に、帯電ローラ３ａの帯電幅を左右の周面シール９の内側縁９ａ間の距離より大きく設定することで、感光体２の周面シール対向部位の電位をマイナスに大きくして、飛散したトナーが感光体２の周面シール対向部位に寄せ付け難くすることができる。
この例の他の作用効果は、前述の図４に示す例と同じである。
【００４５】
次に、本発明の実施例について説明する。
（実施例１）
実施例１では、画像形成装置として図１に示す画像形成装置と同様のセイコーエプソン社製のプリンタＬＰ−９０００Ｃを改造して用いた。このとき、図６に示すようにＬＰ−９０００Ｃの現像ローラ４ａのトナー非搬送面に、テープ状のスペーサ８を巻き付けた。スペーサ８には、カプトンテープ（東レデュポン社製）を使用した。そして、スペーサ８および現像ローラ４ａのトナー非搬送面に、周面シール９をスペーサ８にオーバラップさせて設けた。この周面シール９には、ウレタン素材を使用した。クリーニングブレード７ａは、ＬＰ−９０００Ｃのクリーニングブレードと同じ材質で、その幅を左右のスペーサ８の外側縁８ａ間の距離より大きく設定した。ＬＰ−９０００Ｃのトナーを使用することで、周面シール９、トナー、およびスペーサ８の帯電列を、
＋ ＞ 周面シール９ ＞ トナー ＞ スペーサ８ ＞ −
に設定した。この帯電列は、周面シール９、トナー、およびスペーサ８のうち、順次２つを選択し、これらの２つのものを擦り合わせ、表面電位計でプラスに帯電したか、マイナスに帯電したかを測定することで判断した。
【００４６】
周面シール９をスペーサ８にオーバラップさせることで、現像ローラ４ａの軸長が短くなるとともに、現像ローラ４ａの感光体２への当接幅も短くできるので、現像ローラの撓みが低減した。そして、ＬＰ−９０００Ｃにより６０００枚の印字をした結果、スペーサ８の汚れがほとんどなく、この汚れを効果的に防止できることが確認された。これにより、現像ギャップｇを常により正確に保持できることが分かった。
【００４７】
（実施例２）
実施例２では、図７に示すようにＬＰ−９０００Ｃの現像ローラ４ａのトナー非搬送面に巻き付けたスペーサ８には、アセテート系フィルムを使用した。また、帯電ローラ３ａの幅を左右のスペーサ８の内側縁８ｂ間の距離より小さく、かつ左右の周面シール９の内側縁９ａ間の距離より大きく設定した。ＬＰ−９０００Ｃのトナーを使用することで、周面シール９、トナー、およびスペーサ８の帯電列を、
＋ ＞ 周面シール９ ＞ スペーサ８ ＞ トナー ＞ −
に設定した。その他は、実施例１と同じである。
この実施例２でも、実施例１と同様のことが確認された。
【００４８】
（実施例３）
実施例３では、図８に示すようにＬＰ−９０００Ｃの現像ローラ４ａのトナー非搬送面に巻き付けたスペーサ８に、周面シール９をオーバラップさせて設けた。この周面シール９にはポリエチレン素材のスポンジを使用した。また、帯電ローラ３ａの幅を左右のスペーサ８の外側縁８ａ間の距離より大きく設定した。ＬＰ−９０００Ｃのトナーを使用することで、周面シール９、トナー、およびスペーサ８の帯電列を、
＋ ＞ トナー ＞ 周面シール９ ＞ スペーサ８ ＞ −
に設定した。その他は、実施例１と同じである。
この実施例３でも、実施例１と同様のことが確認された。
【産業上の利用可能性】
【００４９】
本発明の画像形成装置は、電子写真、静電複写機、プリンタ、ファクシミリ等の電子写真方式の画像形成装置において、現像ローラが像担持体に対して所定の現像ギャップを置いて配置されて非接触ジャンピング現像方式により非磁性一成分トナーを用いて像担持体の静電潜像を現像することで画像を形成する画像形成装置に好適に利用することができる。
【図面の簡単な説明】
【００５０】
【図１】本発明にかかる画像形成装置の実施の形態の一例を模式的に示す図である。
【図２】図１に示す例の画像形成装置の現像ローラの一端部にスペーサおよび周面シールを設けた状態を模式的に示し、（ａ）は現像ローラ、スペーサおよび周面シールの関係を示す図、（ｂ）は現像ローラ、スペーサ、周面シールおよびクリーニングブレードの関係を示す図である。
【図３】本発明の画像形成装置の実施の形態の他の例を示す、図２（ｂ）と同様の図である。
【図４】本発明の画像形成装置の実施の形態の更に他の例を示す、図２（ｂ）と同様の図である。
【図５】本発明の画像形成装置の実施の形態の更に他の例を示す、図２（ｂ）と同様の図である。
【図６】本発明の実施例１に使用した画像形成装置を模式的に示す図である。
【図７】本発明の実施例２に使用した画像形成装置を模式的に示す図である。
【図８】本発明の実施例３に使用した画像形成装置を模式的に示す図である。
【符号の説明】
【００５１】
１…画像形成装置、２…感光体（像担持体）、３…帯電装置、３ａ…帯電ローラ、４…現像装置、４ａ…現像ローラ、４ｂ…供給ローラ、７…クリーニング装置、７ａ…クリーニングブレード、８…スペーサ、８ａ…スペーサの外側縁、８ｂ…スペーサの内側縁、９…周面シール、９ａ…周面シールの内側縁、１０…クリーニング部材
【図１】
2006106260.tif 000003
【図２】
2006106260.tif 000004
【図３】
2006106260.tif 000005
【図４】
2006106260.tif 000006
【図５】
2006106260.tif 000007
【図６】
2006106260.tif 000008
【図７】
2006106260.tif 000009
【図８】
2006106260.tif 000010